(57)【要約】      （修正有）【課題】喪主家庭の仏壇に安置してある紙幅曼荼羅を斎場や葬儀場に移送する際、紙幅曼荼羅をいちいち軸木に巻回し、またその巻回を解いて使用する必要が一切なく、紙幅曼荼羅の破損や汚辱の恐れを生じさせない簡易式紙幅曼荼羅携帯箱を提供する。【解決手段】立方体のケース状に形成された携帯箱本体１と、携帯箱本体の上部開口を密閉する蓋体と、携帯箱本体の底部内面に敷設される中敷き部材４と、中敷き部材に取り付けられる係止帯５と、携帯箱本体の内側面に設けられた紙幅曼荼羅の巻緒を係止する取り付け部（紐止め部７）とを有する。【選択図】図１
0003224966.tif 000002
【実用新案登録請求の範囲】
【請求項１】
立方体のケース状に形成された携帯箱本体と、該携帯箱本体の上部開口を密閉する蓋体と、前記携帯箱本体の底部内面に敷設される中敷き部材と、中敷き部材に取り付けられる係止帯と、前記携帯箱本体の内側面に設けられた取り付け部と、を有する、
ことを特徴とする簡易式紙幅曼荼羅携帯箱。
【請求項２】
立方体のケース状に形成された材質が紙部材の携帯箱本体と、該携帯箱本体の上部開口を密閉する材質が紙部材の蓋体と、前記携帯箱本体の底部内面に敷設される中敷き部材と、中敷き部材に取り付けられ、収納する紙幅曼荼羅を揺動不可に係止する係止帯と、前記携帯箱本体の短手方向側壁の内側面に設けられ、紙幅曼荼羅の巻緒を係止する取り付け部と、を有する、
ことを特徴とする簡易式紙幅曼荼羅携帯箱。
【考案の詳細な説明】
【技術分野】
【０００１】
本考案は紙幅曼荼羅を軸木に巻回しない状態、すなわち拡げた状態で移送することが出来る簡易式紙幅曼荼羅携帯箱に関するものである。
【背景技術】
【０００２】
近年、葬儀に関する認識が大きく変化し、寺院で僧が経を読誦して葬儀を行う形態から、一般的な斎場や葬儀場あるいは一般家庭において僧の出席を要請せず、僧の読経を抜きにした、いわゆる友人葬と称される葬儀形態が徐々に浸透してきている。
【０００３】
ここで、前記友人葬においてはほぼ全員で読経を行うものとされることがあるが、その際、読経の対象とされる曼荼羅には、通常喪主家庭に安置されている仏壇の紙幅曼荼羅が使用される場合が多い。
【０００４】
しかしながら、喪主家庭の仏壇には紙幅曼荼羅が常時安置された状態になっており、その安置された紙幅曼荼羅を斎場や葬儀場の仏壇まで移送する場合には、決して粗末な扱いにならないよう、また破損や汚辱が生じないよう充分に配慮しなければならない。そして従来は、紙幅曼荼羅が破損したり汚辱したりしないよう、いちいち安置してある仏壇から前記紙幅曼荼羅を取り外し、その後軸木に巻回し、その巻回した状態で移送した後、再び前記巻回を解いて拡げ、仏壇に安置するものとしていた。
【０００５】
このように従来は、紙幅曼荼羅をいちいち巻回し、またその巻回を解いて葬儀に使用しており、その作業自体が紙幅曼荼羅の破損や汚辱に繋がるとの指摘があった。特に、前記の作業、すなわち紙幅曼荼羅奉掲の際に一般の葬儀社の職員がその取り扱いに困難が生じないよう充分に考慮しなければならないとの指摘もあった。
【先行技術文献】
【特許文献】
【０００６】
【特許文献１】特開２００３−０６１８１１号公報
【考案の概要】
【考案が解決しようとする課題】
【０００７】
かくして、本考案は前記従来の課題に鑑みて案出されたものであり、喪主家庭の仏壇に安置してある紙幅曼荼羅を斎場や葬儀場に移送する際、前記紙幅曼荼羅をいちいち軸木に巻回し、またその巻回を解いて使用する必要が一切なく、紙幅曼荼羅の破損や汚辱の恐れを生じさせない簡易式紙幅曼荼羅携帯箱を提供することを目的とするものである。
【０００８】
そして、紙幅曼荼羅の奉掲（掲げ奉る）の際、一般の葬儀社の職員がその取り扱いに困難が生じないことも考慮した簡易式紙幅曼荼羅携帯箱を提供することを目的とするものである。
【課題を解決するための手段】
【０００９】
本考案は、
立方体のケース状に形成された携帯箱本体と、該携帯箱本体の上部開口を密閉する蓋体と、前記携帯箱本体の底部内面に敷設される中敷き部材と、中敷き部材に取り付けられる係止帯と、前記携帯箱本体の内側面に設けられた取り付け部と、を有する、
ことを特徴とし、
または、
立方体のケース状に形成された材質が紙部材の携帯箱本体と、該携帯箱本体の上部開口を密閉する材質が紙部材の蓋体と、前記携帯箱本体の底部内面に敷設される中敷き部材と、中敷き部材に取り付けられ、収納する紙幅曼荼羅を揺動不可に係止する係止帯と、前記携帯箱本体の短手方向側壁の内側面に設けられ、紙幅曼荼羅の巻緒を係止する取り付け部と、を有する、
ことを特徴とするものである。
【考案の効果】
【００１０】
本考案による簡易式紙幅曼荼羅携帯箱であれば、喪主家庭の仏壇に安置してある紙幅曼荼羅を斎場や葬儀場に移送する際、前記紙幅曼荼羅をいちいち軸木に巻回し、またその巻回を解いて使用する必要が一切なく、紙幅曼荼羅の破損や汚辱の恐れを生じさせない。また、紙幅曼荼羅の奉掲（掲げ奉る）の際、一般の葬儀社の職員がその取り扱いに困難が生じないよう考慮されているとの優れた効果を奏する。
【図面の簡単な説明】
【００１１】
【図１】本考案における携帯箱本体及び中敷き部材、係止帯の構成を説明した説明図である。
【図２】本考案における蓋体の構成を説明する説明図である。
【図３】本考案における中敷き部材、係止帯の構成を説明した平面図である。
【図４】携帯箱本体を組み立てる前の状態を説明する説明図である。
【考案を実施するための形態】
【００１２】
以下、本考案を図に示す実施例に基づいて説明する。
図１に示すように、本考案の簡易式紙幅曼荼羅携帯箱は、立方体、例えば直方体のケース状に形成された材質が紙部材の携帯箱本体１を有する。該携帯箱本体１は、直方体状をなすが、その厚みは比較的薄くて構わない。内部に紙幅曼荼羅を収納できる大きさと厚みであれば構わない。例えば紙幅曼荼羅を構成する軸木の部分が収納できる厚みがあれば良い。
【００１３】
また、携帯箱本体１において、紙部材の材質については何ら限定されない。しかし、一般に使用されるコート紙あるいはポール紙などで構わない。また、表面に模様など装飾する必要はなく、上品な白のコート紙あるいはポール紙などで構わない。
【００１４】
ここで、携帯箱本体１は、図４に示す様に平面的なコート紙あるいはポール紙などに切り込みを付けて切り欠いて原紙２を作る。また、切り欠いた携帯箱本体１の原紙２には、押圧線３が押圧などにより形成される。そして、この押圧線３に沿って折り曲げられて立体的な携帯箱本体１が形成される。ここで、原紙２を折り曲げて形成した携帯箱本体１を図１に示す。
【００１５】
尚、直方体ケース状をなす携帯箱本体１の内部には、シート状の中敷き部材４が前記携帯箱本体１の底面に敷設される。前記中敷き部材４は携帯箱本体１の底面の大きさとほぼ同じ大きさにしてあり、携帯箱本体１の中で移動しないよう工夫して敷設されている。
【００１６】
また、この中敷き部材４の長手方向には間隔を空けて少なくとも２箇所に係止帯５が設けられている。該係止帯５は前記中敷き部材４の裏面に接着テープなどの止め部材９により中敷き部材４の長手方向のいずれかの箇所に固着できるようになっている。
【００１７】
ここで、係止帯５は携帯箱本体１内に収納された紙幅曼荼羅が揺動しないよう固定するためのものであり、紙幅曼荼羅は携帯箱本体１の長手方向に向かって拡げられた状態で配置される。そして、紙幅曼荼羅の軸木の上側方向の箇所で係止帯５により固定される。係止帯５はその両端側に係止用切り込み６が各々設けてあり、この係止用切り込み６を相互に嵌め込むことにより両端側を接続することが出来るようになっている。
【００１８】
上側の箇所では、八双の下側方向の箇所にもう一方の係止帯５によって固定される。この係止帯５も両端側に係止用切り込み６が各々設けてあり、この係止用切り込み６を相互に嵌め込むことにより両端側を接続することが出来るようになっている。
【００１９】
次に、携帯箱本体１の短手方向側壁の内周面中央位置には紐止め部７が設けられている。該紐止め部７は側壁内周面にアーチ状の切れ込みを入れるなどして簡単に形成することが出来る。また、この紐止め部７は該携帯箱本体１を天地逆にしても使用できるよう短手方向両側の側壁内周面中央位置に設けておくとよい。
【００２０】
尚、本考案による簡易式紙幅曼荼羅携帯箱は、いわゆる特装の紙幅曼荼羅の大きさに合わせてあるが、前記特装紙幅曼荼羅より小型のお形木紙幅曼荼羅であっても収納して移送出来るものとなっている。その場合、２つの係止帯５の取り付け位置は中敷き部材４の長手方向中央側に位置することになる。尚、この中敷き部材４の裏面には、特装の紙幅曼荼羅の場合の係止帯５の取り付け位置やお形木の紙幅曼荼羅の場合の係止帯５の取り付け位置がわかるように目印となる目印線１０などが設けられており、この目印線１０を目印にして係止帯５を中敷き部材４に固着すれば良い。
【００２１】
次に、符号８は、蓋体であり、携帯箱本体１に紙幅曼荼羅を収納した後、該携帯箱本体１の上部開口を閉めて密閉するものとなる。尚、材質については何ら限定されないが、前記携帯箱本体１と同様の材質の紙部材で形成しておくと良い。
【００２２】
本考案による簡易式紙幅曼荼羅携帯箱は、大量に作成することが可能である。まず、図４に示すように平面状のコート紙あるいはポール紙を所定数用意し、この平面状のコート紙あるいはポール紙などに切り込みを付けて切り欠き（裁断機による自動裁断等）、携帯箱本体１の原紙２を作る。また、切り欠いた携帯箱本体１の原紙２には、折り線３を押圧して形成しておく（例えば裁断機による折り線自動形成）。また、蓋体８も展開する前の平面の状態に裁断して用意しておく。中敷き部材４や係止帯５も同様にあらかじめ平面状のコート紙あるいはポール紙などに切り込みを付けて切り欠き、作成しておく。
【００２３】
そして、これらを数千枚単位あるいは数百枚単位で例えば葬儀社などに出荷しておく。葬儀社では、前記の携帯箱本体１や蓋体８等を前もって葬儀前に組み立てて、携帯箱本体１の中に、係止帯５をセッとした中敷き部材４を取り付けて本考案の簡易式携帯箱を完成させ、随時それを使用すればよい。
【符号の説明】
【００２４】
１    携帯箱本体
２    原紙
３    押圧線
４    中敷き部材
５    係止帯
６    係止用切り込み
７    紐止め部
８    蓋体
９    止め部材
１０  目印線
【図１】
0003224966.tif 000003
【図２】
0003224966.tif 000004
【図３】
0003224966.tif 000005
【図４】
0003224966.tif 000006